(57)【要約】      （修正有）【課題】鉛フリー工程においても、チップクラックの発生を抑え信頼性の高い半導体装置を提供する。【解決手段】半導体素子搭載領域５ａと、前記半導体素子搭載領域５ａから少なくとも一方向に伸長せしめられた伸長部５ｅとを備えた半導体素子搭載部５と、前記半導体素子搭載部５の近傍に、一端が位置するように配設された複数のリード２ａ、２ｂ、２ｃと、前記半導体素子搭載領域５ａに搭載され、前記リード２ａ、２ｂ、２ｃの少なくとも1つに電気的に接続された半導体素子チップ４ａ、４ｂと、前記半導体素子チップ４ａ、４ｂを被覆すると共に、前記リードの外方の端部を外部に露呈せしめる樹脂パッケージとを備えた半導体装置であって、前記樹脂パッケージは、前記リードが導出される面を境として上下の樹脂の厚さ比が、前記導出される面よりも上方の樹脂量と下方の樹脂量とがほぼ同一となるように形成される。【選択図】図２
2005051157.tif 000002
【特許請求の範囲】
【請求項１】
半導体素子搭載領域と、前記半導体素子搭載領域から少なくとも一方向に伸長せしめられた伸長部とを備えた半導体素子搭載部と、
前記半導体素子搭載部の近傍に、一端が位置するように配設された複数のリードと、
前記半導体素子搭載領域に搭載され、前記リードの少なくとも1つに電気的に接続された半導体素子チップと、
前記半導体素子チップを被覆すると共に、前記リードの外方の端部を外部に露呈せしめる樹脂パッケージとを備えた半導体装置であって、
前記樹脂パッケージは、前記リードが導出される面を境として上下の樹脂の厚さ比が、前記導出される面よりも上方の樹脂量と下方の樹脂量とがほぼ同一となるように設定された半導体装置。
【請求項２】
請求項１に記載の半導体装置であって、
前記半導体素子搭載領域は矩形部を構成しており、前記伸長部は、矩形部の一端部から垂直方向に伸長する半導体装置。
【請求項３】
請求項１または２に記載の半導体装置であって、
リードは、前記樹脂パッケージの一方向または２方向に形成される半導体装置。
【請求項４】
請求項１乃至３のいずれかに記載の半導体装置であって、
前記樹脂パッケージは主面が長方形である半導体装置。
【請求項５】
請求項１乃至４のいずれかに記載の半導体装置であって、
前記半導体素子搭載領域と前記伸長部との境界に応力緩衝部を備えたことを特徴とする半導体装置。
【請求項６】
請求項５に記載の半導体装置であって、
前記応力緩衝部は、切欠きである半導体装置。
【請求項７】
請求項５に記載の半導体装置であって、
前記切欠きは、前記伸長部の相対向する辺から交互に複数形成されている半導体装置。
【請求項８】
請求項１乃至７のいずれかに記載の半導体装置であって、
前記半導体素子チップは、その結晶界面が、前記伸長部の伸長方向に垂直となるのを避けて配される半導体装置。
【請求項９】
請求項１乃至８のいずれかに記載の半導体装置であって、
前記半導体素子搭載部は、前記樹脂パッケージ内に複数個配置されており、前記半導体素子搭載部に搭載される複数個の半導体素子チップが前記パッケージ内で互いに電気的に接続された半導体装置。
【請求項１０】
請求項９に記載の半導体装置であって、
前記半導体素子搭載部は、それぞれ、前記半導体素子搭載部の配列方向に直交して前記樹脂パッケージの外部に導出された吊りリードを備え、第１の半導体素子チップを搭載する第１の半導体素子搭載部と、第２の半導体素子チップを搭載する第２の半導体素子搭載部とを備え、
前記伸長部は前記第１の半導体素子搭載部から、前記第２の半導体素子搭載部の近傍まで、伸長しており、
前記第１および第２の半導体素子搭載部の配列方向に平行に、これらと相対向して配列され、それぞれ、先端に接続領域を備えた複数のリードを具備し、
前記接続領域と前記第1および第2の半導体素子チップはボンディングワイヤを介して電気的に接続されている半導体装置。
【請求項１１】
請求項１０に記載の半導体装置であって、
前記半導体素子搭載部は、矩形部と前記矩形部に連続的に形成された前記伸長部とを備え、前記半導体素子チップはその角部が、前記矩形部の角部に相当するように位置づけられている半導体装置。
【発明の詳細な説明】
【技術分野】
【０００１】
本発明は、半導体装置にかかり、特に樹脂封止型半導体装置の半導体素子チップの割れや欠けの低減に関する。
【背景技術】
【０００２】
近年、環境汚染の問題が深刻化しており、パーソナルコンピュータ、携帯電話に代表される電子機器などの電子部品の分野でも、鉛を使用しない半田いわゆる鉛フリー半田の使用が進められている。
共晶半田の融点が約１８３℃であったのに対し、鉛フリー半田の場合、半田融点が、通常は約２２０℃と、共晶半田に比べ約４０℃程度高い。そこで従来はせいぜい２３０℃程度に設定されていたリフロー温度が、最近では２４０℃から２４５℃となっており、高い物では２６０℃とされているものもある。
このように、リフロー工程で使用する半田が、共晶半田から鉛フリーとなるのに伴い、リフロー炉の温度設定を高くしているものが多い。
例えば、図１４および図１５に示すように、樹脂パッケージ１０１の一方の側面から３本のリード１０２ａ、ｂ、ｃが導出されるとともに、この側面と相対向する側面から２本のリード１０３ａ，ｂが導出されたデュアルインライン型の半導体装置が提案されている。
【０００３】
この半導体装置は、図１５に示すように、２個のトランジスタチップ（半導体素子チップ）１０４ａ，１０４ｂに搭載してなるもので、リードフレームに形成された半導体素子搭載部である第１および第２のダイパッド１０５ａ、１０５ｂにそれぞれ搭載されている。これら第１および第２のダイパッド１０５ａ、１０５ｂのうち、第１のダイパッド１０５ａは、第２のトランジスタとの接続を容易にするために、隣接する第２のダイパッドの方向に伸長する伸長部１０５ｅを備えている。この伸長部１０５ｅは、樹脂パッケージ１０１の長手方向に沿って伸長している。この半導体装置を、鉛フリー半田を用いてプリント配線基板上の配線パターンに実装する場合、前述したように、２４５℃程度の高温となるため、図１６乃至図１９に説明図を示すように、熱ストレスにより、チップにクラックが入りやすいという問題があった。
【０００４】
すなわち、図１６に示すように樹脂パッケージ１０１の長辺方向の反りが大きく、この樹脂パッケージの反りにより、図１７に示すように第１のダイパッド１０５ａは伸長部１０５ｅを有しているため、長手方向に引っ張り力が働き、この引っ張り力がトランジスタチップに作用し、この引っ張り力によりチップクラックが生じてしまうという問題があった。これは図１７および図１８にパッケージの短辺方向および長辺方向のリードフレームの変形状況を示すように、長辺方向で特に大きい。
【０００５】
従来、鉛半田を用いた実装工程を用いる場合には、熱ストレス（熱歪）を減少させ収縮応力の低減をはかるべく、半導体素子搭載部の角部に切欠きを設けた方法も提案されている。（特許文献１参照）
【０００６】
【特許文献１】特開平４−１１６９６２号公報
【発明の開示】
【発明が解決しようとする課題】
【０００７】
しかしながら、近年、鉛フリー化により、従来よりもリフロー温度は４０℃程度も高くなっており、この温度差は大きいため、種々のプロセスで不良発生の原因となっている。このため特許文献１で示されているような従来の手法では到底対応しえない程度の大きな熱歪が発生する。
特に、前述したように、縦横の長さの異なる断面長方形の樹脂パッケージの場合、熱歪の影響は受けやすい。そしてさらに、リードフレームの半導体素子チップ搭載部である、ダイパッドが長い場合、この長手部分に歪がかかると、このリードフレームの受けた応力が半導体チップに伝搬し、チップクラック発生の原因となっていた。
【０００８】
本発明は、前記実情に鑑みてなされたものであり、チップクラックの発生を低減し、リフロー工程においてもチップクラック発生を引き起こすことのない半導体装置を提供することを目的とする。
【課題を解決するための手段】
【０００９】
本発明は、半導体素子搭載領域と、前記半導体素子搭載領域から少なくとも一方向に伸長せしめられた伸長部とを備えた半導体素子搭載部と、前記半導体素子搭載部の近傍に、一端が位置するように配設された複数のリードと、前記半導体素子搭載領域に搭載され、前記リードの少なくとも1つに電気的に接続された半導体素子チップと、前記半導体素子チップを被覆すると共に、前記リードの外方の端部を外部に露呈せしめる樹脂パッケージとを備えた半導体装置であって、前記樹脂パッケージは、前記リードが導出される面を境として上下の樹脂の厚さ比が、前記導出される面よりも上方の樹脂量と下方の樹脂量とがほぼ同一となるように決定される。
【００１０】
半導体素子搭載領域と、前記半導体素子搭載領域から少なくとも一方向に伸長せしめられた伸長部とを備えた半導体素子搭載部と、前記半導体素子搭載部の近傍に、一端が位置するように配設された複数のリードとを備えたリードフレームのリード面が、樹脂封止に際し、上型と下型の境界となり、このリード面を境に、上下の樹脂量がほぼ等しくなるように構成されるため、リフロー工程において２４５℃以上の高温となっても、樹脂パッケージ自体が歪むのを防ぐことができる。このため、樹脂パッケージの熱歪が半導体チップに伝搬してチップクラックが発生する確率は大きく低減される。このように、この構成によれば、熱により樹脂パッケージが歪を生じるのを防止することが可能となる。
【００１１】
また本発明では、前記半導体装置において、前記半導体素子搭載領域は矩形部を構成しており、前記伸長部は、矩形部の一端部から垂直方向に伸長する。
この構成によれば、特に、伸長部が応力を受けやすいが、結晶界面がこの伸長部と垂直にならないように配されているため、チップクラックを防止することができる。
【００１２】
また本発明では、前記半導体装置において、リードは、前記樹脂パッケージの一方向または２方向に形成される。
リードが４方向にのびるいわゆるクアッド（Ｑｕａｄ）タイプの半導体装置の場合、樹脂パッケージは縦横比がほぼ１であることが多く、変形しにくい。しかしリードが樹脂パッケージの一方向または２方向に形成される構造の場合、樹脂パッケージ自体変形し易く、特に、伸長部が応力を受けやすいが、この構成によれば、結晶界面がこの伸長部と垂直にならないように配されているため、チップクラックを防止することができる。
【００１３】
また本発明では、前記半導体装置において、前記樹脂パッケージは主面が長方形である。
樹脂パッケージが正方形に近い場合は変形しにくい。しかし樹脂パッケージ主面が長方形である場合、樹脂パッケージ自体変形し易く、リードフレームでは、特に、伸長部が応力を受けやすいが、この構成によれば、結晶界面がこの伸長部と垂直にならないように配されているため、チップクラックを防止することができる。
【００１４】
また本発明では、前記半導体装置において、前記前記半導体素子搭載領域と前記伸長部との境界に応力緩衝部を備えている。
【００１５】
この構成によれば、前記半導体素子搭載領域と前記伸長部との境界に応力緩衝部を備えているため、熱ストレスにより大きな力のかかる部分で、応力が緩和され、チップの応力を受けるのを防止することができる。従ってクラックの発生は低減され、鉛フリー化によるリフロー温度の上昇によってもチップクラックの発生することのない樹脂封止型半導体装置を提供することができる。
【００１６】
また本発明では、前記半導体装置において、前記応力緩衝部は、切欠きである。
【００１７】
この構成によれば、前記応力緩衝部が切欠きであるため、若干の抜き型あるいはマスクの変更により、リードフレームの打ち抜きあるいは打ち抜き後エッチングを行うなどの方法によって容易に形成することができる。
【００１８】
また本発明では、前記半導体装置において、前記伸長部の相対向する辺から交互に複数形成されている。
この構成により、半導体装置の強度低下を招くことなく、十分な応力緩衝効果を得ることができる。
【００１９】
また本発明では、前記半導体装置において、前記半導体素子搭載部は、前記樹脂パッケージ内に複数個配置されており、前記半導体素子搭載部に搭載される複数個の半導体素子チップが前記パッケージ内で互いに電気的に接続される。
この場合、断面長方形のパッケージとなっており、特に第１および第２の半導体素子搭載部の間に相互接続のためのパッドとしての伸長部を必要とすることが多いが、結晶界面がこの伸長部と垂直にならないように配されているため、チップクラックを防止することができる。
【００２０】
また本発明では、前記半導体装置において、前記半導体素子搭載部は、それぞれ、前記半導体素子搭載部の配列方向に直交して前記樹脂パッケージの外部に導出された吊りリードを備え、第1の半導体素子チップを搭載する第1の半導体素子搭載部と、第２の半導体素子チップを搭載する第２の半導体素子搭載部とを備え、前記伸長部は前記第１の半導体素子搭載部から、前記第2の半導体素子搭載部の近傍まで、伸長しており、前記第１および第2の半導体素子搭載部の配列方向に平行に、これらと相対向して配列され、それぞれ、先端に接続領域を備えた複数のリードを具備し、前記接続領域と前記第1および第2の半導体素子チップはボンディングワイヤを介して電気的に接続されている。
また本発明では、前記半導体装置において、前記半導体素子搭載部は、矩形部と前記矩形部に連続的に形成された前記伸長部とを備え、前記半導体素子チップはその角部が、前記矩形部の角部に相当するように位置づけられている。
【発明の効果】
【００２１】
本発明の半導体装置によれば、鉛フリー工程において、高温でのリフロー工程を経ても、チップクラックの発生もなく、高歩留まりの半導体装置を提供することが可能となる。
【発明の実施の形態】
【００２２】
次に本発明の実施の形態について図面を参照して詳細に説明する。
（第1の実施の形態）
図１は、本発明の第１の実施の形態の半導体装置を示す斜視図、図２は同半導体装置の樹脂パッケージを除いた図、図３は同実施の形態に用いられるリードフレームを示す図、図４は同半導体装置の製造工程の一部であって、半導体素子チップを搭載しワイヤボンディングを行った状態を示す図、図５は、この半導体装置の樹脂封止工程を示す説明図である。
この半導体装置は、樹脂パッケージ１は、リード２ａ、２ｂ、２ｃ、３ａ、３ｂが導出される面を境として上下の樹脂１ａ、１ｂの厚さ比が、前記導出される面よりも上方の樹脂量と下方の樹脂量とがほぼ同一となるように決定されることを特徴とするものである。また、半導体素子搭載部が、矩形の半導体素子搭載領域としてのダイパッド５ａ、５ｂと、このダイパッド５ａに連続的に形成された伸長部５ｅとを備え、この伸長部５ｅと半導体素子搭載領域との間に応力緩衝部としての切欠き７を具備しており、前記半導体素子チップはその角部が、前記ダイパッド５ａ、５ｂに相当するように位置づけられ、半導体素子チップの（１１１）が前記伸長部５ｅの伸長方向と４５°の角度をなしていることを特徴とする。ここではリードが導出される面から樹脂パッケージ上面までの距離Ｌａと、リード導出面から樹脂パッケージ下面までの距離ＬｂとはＬａ＝０．５５ｍｍ、Ｌｂ＝０．５５ｍｍであった。またこの樹脂パッケージの外径は２．９ｍｍ×１．５ｍｍ×１．１ｍｍであった。
【００２３】
すなわち、この半導体装置は、リードフレームと、半導体素子チップ４ａ、４ｂと、この周りを囲む樹脂パッケージ１とで構成される。そして２個のトランジスタチップを構成する半導体素子チップ４ａ、４ｂを、リードフレームのダイパッド５ａ、５ｂにそれぞれ載置固定するとともに、この半導体素子チップ４ａ、４ｂのパッドを、リード端子２ａ、２ｂ、２ｃ、３ａ、３ｂに夫々ボンディングワイヤ６を介して電気的接続を行うものである。このように、リードフレーム上に電気的接続のなされた半導体素子チップを樹脂パッケージ１ａ、１ｂで封止し、樹脂パッケージ１ａ、１ｂから導出されたリードをガルウィング型に成形したものである。このリード端子２ａ、２ｂ、２ｃ、３ａ、３ｂの外方端を、図９に示すように鉛フリー半田層２２を介してプリント基板２０表面上の回路パターンに載置し、リフロー法により、２４５℃程度で加熱することにより、プリント基板２０表面の回路パターン２１上への実装が鉛フリー半田２２を介してなされる。
【００２４】
ここで伸長部５ｅはボンディングパッドとして用いられることが多いが、パッドとして用いられない機種もある。パッドとして用いられない場合は不要であるが、少量多品種化に伴い同一のリードフレームで多品種に対応させる汎用型リードフレームとして用いるため、本実施の形態のリードフレームは伸長部５ｅを備えている。
【００２５】
さらに、本実施の形態では、第１および第２の半導体素子搭載部であるダイパッド５ａ、５ｂの配列方向に直交して樹脂パッケージ１の外部に導出された吊りリードとしてのリード端子３ａ、３ｂを備えている。これらダイパッド５ａ、５ｂのうちの一方５ａは、他方のダイパッドの近傍まで、伸長する伸長部５ｅを具備しており、さらにこれらダイパッド５ａの配列方向に平行に、これらと相対向して配列され、それぞれ、先端に接続領域を備えた複数のリード２ａ、２ｂ、２ｃを具備し、前記接続領域と前記第1および第2の半導体素子チップ５ａ、５ｂはボンディングワイヤ６を介して電気的に接続されている。
【００２６】
また本発明では、前記半導体装置において、前記半導体素子搭載部は、矩形部と前記矩形部に連続的に形成された前記伸長部とを備え、前記半導体素子チップはその角部が、前記矩形部の角部に相当するように位置づけられている。
このダイパッドにはＡｇめっき、リード端子には、Ｓｎ−ＰｂやＳｎ−Ｂｉに代表されるＰｂフリー半田メッキ層を備えている。
【００２７】
そしてこのリードフレームは、図３に要部拡大断面図を示すように、送り穴９を備えた２本のサイドバー８の間に、第１および第２の半導体素子チップ搭載部としてのダイパッド５ａ、５ｂと、これを支持する吊りリード３ａ、３ｂと、この吊りリードに相対向してリード端子２ａ、２ｂ、２ｃとからなるリードフレームユニットが多数個順次配設されたものである。また、ダイパッド５ａと伸長部５ｅとの境界に切り欠け７が形成されている。
【００２８】
次に、この半導体装置の実装方法について説明する。
まず、このリードフレームの製造方法について説明する。
この方法では、金属製の板状体（銅板）からなる条材を打ち抜き加工し、図３に示すように、送り穴９を備えたサイドバー８の間に、ダイパッド５ａ、５ｂと、これを支持する吊りリード３ａ、３ｂと、リード端子２ａ、２ｂ、２ｃとからなるリードフレームユニットが多数個順次配設されたリードフレーム本体の形状加工を行う。このとき抜き型を変更し、打ち抜きと同時に切り欠けが形成できるようになっている。そしてこのようにして形成されたリードフレーム本体表面に、電解めっきによりＡｇメッキ層を形成した。
【００２９】
次にこのリードフレームを用いた半導体装置の製造方法について説明する。
【００３０】
まず図４に示すように、図３に示したリードフレームのダイパッド５ａ、５ｂに半導体素子チップ４ａ、４ｂの裏面が搭載されるように固着し、ボンディングワイヤ１２によって半導体素子チップ４ａ、４ｂとリード端子２ａ、２ｂ、２ｃとの電気的接続を行う。
【００３１】
この後、図５に示すように、上金型１０ａによって形成されるキャビティ空間１１ａ内の半導体素子チップを除く空間領域の体積が、ほぼ等しくなるようにキャビティ空間の厚さＬａ、Ｌｂが調整される。そして上金型１０ａと下金型１０ｂによって形成されるキャビティ空間１１ａ、１１ｂ内の空間領域にエポキシ樹脂がインジェクトされ、樹脂封止を行い、樹脂パッケージ１で被覆された半導体装置を形成する。
【００３２】
そして最後に、サイドバー８を除去し、リード端子をガルウイング形状に成形し、図１に示した半導体装置が形成される。
【００３３】
そして、プリント基板などへの装着時には鉛フリー半田により、効率よくリフローされる。
【００３４】
このように、本実施の形態では、樹脂パッケージ１を、このリード面を境に、上下の樹脂量がほぼ等しくなるように構成しているため、リフロー工程において２４５℃以上の高温となっても、樹脂パッケージ自体が歪むのを防ぐことができる。このため、樹脂パッケージの熱歪が半導体チップに伝搬してチップクラックが発生する確率は大きく低減される。このように、この構成によれば、熱により樹脂パッケージが歪を生じるのを防止することが可能となる。
【００３５】
それぞれ本発明の実施の形態の半導体装置における、半導体素子チップのダイパッド５ａへの載置方向と結晶界面ＣＢとの関係を説明するとともに最大引っ張り応力Ｆの方向とクラックＣの発生との関係とを測定した。その結果を、図１２（ａ）および（ｂ）に示す。
【００３６】
かかる構成によれば、最も弱い部分である結晶界面すなわちシリコン結晶のへき開面である（１１１）面が伸長部の伸長方向と４５°をなすように配され、垂直となるのを避けて配されるため、リフロー時の熱ストレスにより最も大きな力のかかる部分がチップの最も弱い部分を避けて配置されることになる。従ってクラックの発生は低減され、鉛フリー化によるリフロー温度の上昇によってもクラックの発生することのない樹脂封止型半導体装置を提供することができる。特に、伸長部５ｅが応力を受け、変形しやすいが、本実施の形態では図１２（ｂ）（ｄ）に示すように結晶界面ＣＢがこの伸長部５ｅと垂直にならないように配されているため、伸長部５ｅの変形による最大引っ張り応力Ｆに垂直にはなっていないため、クラックＣの発生は抑制される。これに対し、従来例では図１２（ａ）（ｃ）に示すように、結晶界面ＣＢがこの伸長部５ｅと垂直となり、伸長部５ｅの変形による最大引っ張り応力Ｆに垂直にはなってこの応力を最大の状態で受けることになる。このためチップクラックが発生しやすい。
【００３７】
また本実施の形態では、リードフレームにおけるダイパッド５ａとこれとＬ字状をなすように伸長する伸長部５ｅとの境界に応力緩衝部としての切り欠き７を形成しているため、最も応力の集中しやすい場所に応力緩衝部が設けられているため、半導体素子チップ４ａに応力が伝搬するのを防止することができ、チップクラックの発生を抑制することができる。
【００３８】
また、半導体装置の封止樹脂から露呈するリード部が、半田層となっているため、安定な外部端子構造を形成することが可能となる。
なおこの封止樹脂から露呈するリード部の最外層としては、金、錫、パラジウム半田など、安定で半田と共晶を形成し易い金属で構成すればよい。
【００３９】
また、本発明のリードフレームにおいては、前記最外層は、半田と共晶を形成し易い金などの金属で構成すれば、プリント基板などへの実装に際し、良好に接続を行うことが可能となる。
【００４０】
また、本発明のリードフレームの製造方法では、打ち抜き法によって形成したが、打ち抜き法とエッチング法との組み合わせあるいはエッチング法を用いるようにしてもよい。
【００４１】
更にまた樹脂パッケージについても、前記実施の形態では、リードが導出される面から樹脂パッケージ上面までの距離Ｌａと、リード導出面から樹脂パッケージ下面までの距離ＬｂとはＬａ＝０．５５ｍｍ、Ｌｂ＝０．５５ｍｍとしたが、これに限定されることなく上部と下部の形状にもよるが、Ｌａ＝０．２ｍｍ、Ｌｂ＝０．９ｍｍとしたもの、Ｌａ＝０．３ｍｍ、Ｌｂ＝０．８ｍｍとしたものも有効であった。
【００４２】
また、前記実施の形態では、リードフレームにおいて半導体素子搭載領域と伸長部との境界に切欠きを形成したが、この切欠きは、前記半導体素子搭載領域と伸長部との境界に配置するのが望ましいが、境界近傍から伸長部の長手方向に沿って切り欠きを入れ、伸長部の幅を狭くしたり、伸長部の長さを小さくしたり、してもよく、応力低減のための構造を形成しこれを応力緩衝部としてもよい。
【００４３】
（第２の実施の形態）
次に本発明の第２の実施の形態について説明する。
前記第１の実施の形態では、リードフレームのダイパッド５ａとその伸長部５ｅとの境界部に応力緩衝部としての切欠き７を形成したが、これに代えて、本実施の形態では、図６（ａ）に示すように、伸長部５ｅの長さを、ダイパッドの半導体素子チップ搭載領域である矩形領域の１辺の長さと同程度以上とならないようにしたことを特徴とするもので、従来よりも短く形成している。他の部分については前記第１の実施の形態と同様である。
またこの例でも、半導体素子チップ４ａ、４ｂはへき開面と伸長部の伸長方向とは４５°の角度をなすように形成される。
【００４４】
この構成によれば、伸長部が短く形成されているため、この伸長部からダイパッド５ａが受ける引っ張り応力は低減され、従ってチップクラックの発生率は低減される。
なお、図６（ｂ）に示すように、半導体素子チップの搭載方向は従来と同様にしても、従来例で示した伸長部をダイパッド５ｂ近傍まで伸長させたものに比べて、大幅にチップクラックの発生率が低減される。
【００４５】
（第３の実施の形態）
次に本発明の第３の実施の形態について説明する。
前記第１の実施の形態では、リードフレームのダイパッド５ａとその伸長部５ｅとの境界部に応力緩衝部としての切欠き７を形成したが、これに代えて、本実施の形態では、図７（ａ）に示すように、伸長部５ｅの長さを、ダイパッドの半導体素子チップ搭載領域である矩形領域の１辺の長さと同程度以上とならないようにすると共に幅ｗをリード端子の幅ｗ０よりも小さくしたことを特徴とするもので、従来よりも短く形成している。他の部分については前記第１および第２の実施の形態と同様である。
またこの例でも、半導体素子チップ４ａ、４ｂはへき開面と伸長部の伸長方向とは４５°の角度をなすように形成される。
【００４６】
この構成によれば、伸長部が短くかつ幅を小さくして形成されているため、この伸長部からダイパッド５ａが受ける引っ張り応力は低減され、従ってチップクラックの発生率は低減される。
なお、図７（ｂ）に示すように、半導体素子チップの搭載方向は従来と同様にしても、従来例で示した伸長部をダイパッド５ｂ近傍まで伸長させたものに比べて、大幅にチップクラックの発生率が低減される。
【００４７】
（第４の実施の形態）
次に本発明の第４の実施の形態について説明する。
前記第２および第３の実施の形態では、リードフレームのダイパッド５ａからの伸長部５ｅを、短くしたり、幅を小さくしたりしたが、本実施の形態では、図８（ａ）に示すように、伸長部を切除し、長手方向のダイパッドの形状を線対称としたものである。他の部分については前記第１および第２の実施の形態と同様である。これにより、伸長部をパッドとして使用できなくなり、適用品種が少なくなるという欠点があるが、引っ張り応力は低減される、チップクラックの発生は低減される。
またこの例でも、半導体素子チップ４ａ、４ｂはへき開面と伸長部の伸長方向とは４５°の角度をなすように形成される。
【００４８】
この構成によれば、伸長部を削除して形成されているため、伸長部からダイパッド５ａが受ける引っ張り応力はなくなり、従ってチップクラックの発生率は低減される。
なお、図８（ｂ）に示すように、半導体素子チップの搭載方向は従来と同様にしても、従来例で示した伸長部をダイパッド５ｂ近傍まで伸長させたものに比べて、大幅にチップクラックの発生率が低減される。
【００４９】
なお、前記第１乃至第４の実施の形態のリードフレームにおける半導体チップ４ａの受ける応力値を測定した結果を図１１に示す。Ｐは図１４および図１５に示した従来例の半導体装置、Ｎ１は第２の実施の形態の半導体装置、Ｎ２は第３の実施の形態の半導体装置、Ｎ３は第４の実施の形態の半導体装置、Ｎ４は第１の実施の形態の半導体装置における半導体チップの受ける応力値を示す。これらの比較から、本発明の第１乃至第４の実施の形態によれば応力が低減され、チップクラックの発生率の低下をはかることが可能となることがわかる。
【００５０】
また、チップの方向と応力との関係を測定した結果を図１３（ａ）乃至（ｄ）に示す。この図から明らかなように、チップ底面即ちリードフレームとの接着面近傍における応力を測定した結果を示すもので、位置としては図１３（ｃ）および図１３（ｄ）に示すように、Ｃ１−Ｃ２、Ｃ４−Ｃ１の方向での応力を測定した結を示す図である。これらの図からわかるように、チップを４５°回転したときの応力値は辺Ｃ１―Ｃ２において増大するものの、辺Ｃ４―Ｃ１においては減少する。またチップを４５°回転するとともにリードフレームの伸長部５ｅを切除したものは辺Ｃ１―Ｃ２および、辺Ｃ４―Ｃ１において共に減少する。図中曲線ａは従来例のリードフレームを用いて従来例のチップ配置をしたもの、曲線ｂはチップ配置を４５°回転したもの、曲線ｃはチップ配置を４５°回転するとともに伸長部５ｅを切除したものを示す。
また、リードフレームのダイパッド５ａと伸長部５ｅとの間に切り欠き７を形成し応力緩衝部を設けたが、本実施の形態では、図１０に示すように、応力緩衝部としての切り欠き７を形成することなく形成したもので、他の部分については前記第１の実施の形態と同様である。
これにより、伸長部５ｅの受ける引っ張り応力は従来と同様であるが、半導体素子チップ４ａのへき開面が、引っ張り応力が最大となる伸長部ｅの伸張方向から４５°回転して形成されるため、引っ張り応力は理論的には３分の２程度に低減されるため引っ張り応力は低減される、チップクラックの発生は低減される。
この構成によれば、リードフレームおよびボンディング工程を変更することなく実現でき、半導体素子チップの装着方向を４５°回転するのみで形成することができるため、製造も容易である。なおこの回転方向としては、ワイヤボンディングのワイヤの方向を考慮して決定する必要がある。
また、半導体素子チップ４ａ、４ｂはへき開面と伸長部の伸長方向とのなす角度は４５°に限定されることなく、３０°とするなど適宜調整可能である。
【００５１】
（第５の実施の形態）
次に本発明の第５の実施の形態について説明する。
前記第１の実施の形態では、リードフレームのダイパッド５ａと伸長部５ｅとの間に切り欠き７を形成し応力緩衝部を設けたが、本実施の形態では、図１０に示すように、応力緩衝部としての切り欠き７を形成することなく形成したもので、他の部分については前記第１の実施の形態と同様である。
これにより、伸長部５ｅの受ける引っ張り応力は従来と同様であるが、半導体素子チップ４ａのへき開面が引っ張り応力が最大となる伸長部ｅの伸張方向から４５°回転して形成されるため、引っ張り応力は理論的には３分の２程度に低減されるため引っ張り応力は低減される、チップクラックの発生は低減される。
この構成によれば、リードフレームおよびボンディング工程を変更することなく実現でき、半導体素子チップの装着方向を４５°回転するのみで形成することができるため、製造も容易である。なおこの回転方向としては、ワイヤボンディングのワイヤの方向を考慮して決定する必要がある。
また、半導体素子チップ４ａ、４ｂはへき開面と伸長部の伸長方向とのなす角度は４５°に限定されることなく、３０°とするなど適宜調整可能である。
また、図１０に破線で示すように、リードフレームのダイパッド５ａと伸長部５ｅとの間に円形孔７Ｓを形成し応力緩衝部を構成してもよい。また円形孔に限らず★状孔、□穴なども有効である。これらの孔もここでは切り欠きの一部とする。
【００５２】
なお、前記実施の形態では、２個のトランジスタの実装について説明したが、１個のトランジスタを実装する場合にも適用可能であり、またこのようなディスクリート素子に限定されることなく、ICやLSIなどにも適用可能であることはいうまでもない。
【産業上の利用可能性】
【００５３】
以上説明してきたように、本発明の半導体装置によれば、鉛フリー工程において、高温でのリフロー工程によって実装される半導体装置の、チップクラックの低減に有効であり、特に長方形の樹脂パッケージをもつシングルインライン型あるいはデュアルインライン型の半導体装置の歩留まりの向上に有効である。
【図面の簡単な説明】
【００５４】
【図１】本発明の第１の実施の形態に係る半導体装置を示す図
【図２】本発明の第１の実施の形態に係る半導体装置の（樹脂パッケージを除いた状態を示す）説明図
【図３】本発明の第１の実施の形態に用いられるリードフレームを示す図
【図４】本発明の第１の実施の形態に係る半導体装置の製造工程の一部を示す図
【図５】本発明の第１の実施の形態に係る半導体装置の製造工程の一部を示す図
【図６】本発明の第２の実施の形態に係る半導体装置を示す図
【図７】本発明の第３の実施の形態に係る半導体装置を示す図
【図８】本発明の第４の実施の形態に係る半導体装置を示す図
【図９】本発明の半導体装置の実装例を示す図
【図１０】本発明の第５の実施の形態に係る半導体装置を示す図
【図１１】本発明の実施の形態の半導体装置におけるチップクラックの発生率を示す比較図
【図１２】本発明の実施の形態の半導体装置の原理説明図
【図１３】本発明の実施の形態の半導体装置における応力値を示す比較図
【図１４】従来例の半導体装置を示す図
【図１５】従来例の半導体装置の（樹脂パッケージを除いた状態を示す）説明図
【図１６】従来例の半導体装置を示す図
【図１７】従来例の半導体装置を示す図
【図１８】従来例の半導体装置を示す図
【図１９】従来例の半導体装置を示す図
【符号の説明】
【００５５】
１  樹脂パッケージ
１ａ、１ｂ  上下の樹脂
２ａ、２ｂ、２ｃ  リード端子
３ａ、３ｂ  吊りリード
４ａ、４ｂ  半導体素子チップ
５ａ、５ｂ  ダイパッド（半導体素子搭載部）
５ｅ  伸長部
６  ボンディングワイヤ
７  切欠き
８  サイドバー
９  送り穴
１０  金型
１１  キャビティ
１0１  樹脂パッケージ
１０２ａ、１０２ｂ、１０２ｃ  リード端子
１０３ａ、１０３ｂ  吊りリード
１０４ａ、１０４ｂ  半導体素子チップ
１０５ａ、１０５ｂ  ダイパッド（半導体素子搭載部）
１０５ｅ  伸長部
【図１】
2005051157.tif 000003
【図２】
2005051157.tif 000004
【図３】
2005051157.tif 000005
【図４】
2005051157.tif 000006
【図５】
2005051157.tif 000007
【図６】
2005051157.tif 000008
【図７】
2005051157.tif 000009
【図８】
2005051157.tif 000010
【図９】
2005051157.tif 000011
【図１０】
2005051157.tif 000012
【図１１】
2005051157.tif 000013
【図１２】
2005051157.tif 000014
【図１３】
2005051157.tif 000015
【図１４】
2005051157.tif 000016
【図１５】
2005051157.tif 000017
【図１６】
2005051157.tif 000018
【図１７】
2005051157.tif 000019
【図１８】
2005051157.tif 000020
【図１９】
2005051157.tif 000021